(57)【要約】 【課題】  キッチンや洗面所、洗濯機置場等の隠蔽対象箇所を目隠し用建具によって隠蔽して見栄えを良好にするとともに、隠蔽対象箇所を覆った状態でも目隠し用建具を有効活用して使用性の向上を図る。【解決手段】  住宅における隠蔽対象箇所(１)を、可動式の目隠し用建具(10)によって隠蔽可能とする。目隠し用建具(10)における隠蔽対象箇所(１)に対して向かい合う裏面とは反対の表面側に、１又は複数の収納部(20)(20)…が設けてある。【選択図】  図１
2006022504.tif 000002
【特許請求の範囲】
【請求項１】
住宅におけるキッチンや洗面所、洗濯機置場等の隠蔽対象箇所を、可動式の目隠し用建具によって隠蔽可能とするとともに、その目隠し用建具における前記隠蔽対象箇所に対して向かい合う裏面とは反対の表面側に、１又は複数の収納部を設けたことを特徴とする目隠し構造。
【請求項２】
前記目隠し用建具の収納部は、建具本体の内部に設けた空洞部分からなり、その空洞部分が前記表面に開放している請求項１記載の目隠し構造。
【請求項３】
前記目隠し用建具を、壁体に重なった開放状態と前記隠蔽対象箇所を覆う閉塞状態との間で前記壁体に沿ってスライド可能に配して、前記壁体に、１又は複数の収納部を設けた請求項１又は２記載の目隠し構造。
【請求項４】
前記壁体の収納部は、壁体の内部に形成した空洞部分からなり、その空洞部分が壁体表面に開放している請求項３記載の目隠し構造。
【請求項５】
住宅におけるキッチンや洗面所、洗濯機置場等の隠蔽対象箇所を覆うための可動式の目隠し用建具であって、その前記隠蔽対象箇所に対して向かい合う裏面とは反対の表面側に、１又は複数の収納部を設けたことを特徴とする目隠し用建具。
【請求項６】
前記収納部は、建具本体の内部に設けた空洞部分からなり、その空洞部分が前記表面に開放している請求項５記載の目隠し用建具。
【請求項７】
壁体に重なった開放状態と前記隠蔽対象箇所を覆う閉塞状態との間で前記壁体に沿ってスライド可能となっている請求項５又は６記載の目隠し用建具。
【発明の詳細な説明】
【技術分野】
【０００１】
この発明は、例えばキッチンや洗面所、脱衣室、洗濯機置場、リビング収納等を隠すための目隠し構造及び目隠し用建具に関する。
【背景技術】
【０００２】
従来より、キッチンや洗面所等の前面側を開閉扉等の目隠し用建具で覆うことで、これらの乱れ等を外部から見えないように隠して、来客時や不使用時において見栄えを良好にするといった目隠し構造が知られている。この種の目隠し構造は、例えば特許文献１及び２にも開示されている。
【０００３】
【特許文献１】実開昭６２−１８１２４３号公報
【特許文献２】特開平６−１８９８２８号公報
【発明の開示】
【発明が解決しようとする課題】
【０００４】
従来において、キッチンや洗面所等の前面を覆う目隠し用建具は、模様等が施された単なる面材であったり、裏面側に小物入れ等の収納部が設けられている場合が多い。キッチンや洗面所等は、一般に使い勝手の良い場所に設けられているが、このような建具によってキッチンや洗面所等の前面側を覆った場合、その覆われた部分は単なる壁面となるだけであって、使用性に乏しかった。
【０００５】
この発明は、上記の不具合を解消して、キッチンや洗面所、洗濯機置場等の隠蔽対象箇所を隠蔽して見栄えを良好にすることができるとともに、隠蔽対象箇所を覆った状態でも目隠し用建具を有効活用して使用性の向上を図ることができる目隠し構造及び目隠し用建具の提供を目的とする。
【課題を解決するための手段】
【０００６】
上記の課題を解決するため、この発明の目隠し構造は、住宅におけるキッチンや洗面所、洗濯機置場等の隠蔽対象箇所を、可動式の目隠し用建具によって隠蔽可能とするとともに、その目隠し用建具における前記隠蔽対象箇所に対して向かい合う裏面とは反対の表面側に、１又は複数の収納部を設けたことを特徴とする。
【０００７】
具体的に、前記目隠し用建具の収納部は、建具本体の内部に設けた空洞部分からなり、その空洞部分が前記表面に開放している。
【０００８】
また、前記目隠し用建具を、壁体に重なった開放状態と前記隠蔽対象箇所を覆う閉塞状態との間で前記壁体に沿ってスライド可能に配して、前記壁体に、１又は複数の収納部を設けている。
【０００９】
さらに、前記壁体の収納部は、壁体の内部に形成した空洞部分からなり、その空洞部分が壁体表面に開放している。
【００１０】
この発明の可動式の目隠し用建具は、住宅におけるキッチンや洗面所、洗濯機置場等の隠蔽対象箇所を覆うためのものであって、その前記隠蔽対象箇所に対して向かい合う裏面とは反対の表面側に、１又は複数の収納部を設けたことを特徴とする。
【００１１】
具体的に、前記収納部は、建具本体の内部に設けた空洞部分からなり、その空洞部分が前記表面に開放している。また、壁体に重なった開放状態と前記隠蔽対象箇所を覆う閉塞状態との間で前記壁体に沿ってスライド可能となっている。
【発明の効果】
【００１２】
この発明では、目隠し用建具の表面側に収納部を設けているので、目隠し用建具によって隠蔽対象箇所の前面側を覆った状態でも、その覆われた部分は単なる壁面となるのではなく、収納として有効に利用することができ、使用性の向上を図ることができる。また、目隠し用建具が重なる壁体にも収納部を設けることで、使用性をさらに高めることができる。
【００１３】
さらに、目隠し用建具の収納部や壁体の収納部を、表面側に張り出すことがないように、目隠し用建具や壁体の厚み内に収めるようにして形成しているので、見栄えが良好であり、歩行等の妨げになることもない。
【発明を実施するための最良の形態】
【００１４】
以下、この発明の実施形態を図面に基づいて詳細に説明する。この発明の一実施形態に係る目隠し構造を、隠蔽対象箇所である住宅の簡易洗面所に適用した例を図１乃至図４に示す。
【００１５】
簡易洗面所(１)は、例えば室内又は廊下の内壁面に形成した平面視円弧状の凹所(２)に、簡素な構造の洗面台(３)を設置することによって構成されている。
【００１６】
この簡易洗面所(１)は、その前面側を可動式の目隠し用建具(10)によって覆うことで、外部から見えないように隠蔽できるようになっている。
【００１７】
目隠し用建具(10)は、その建具本体(11)が所定の厚みを有する方形板状に形成されており、図５に示すように、上端部(12)が天井面(14)に埋め込まれたレール溝(15)に摺動自在に嵌合され、下端部(13)の車輪(16)が床面(17)に埋め込まれたレール溝(18)に嵌合されている。これにより、目隠し用建具(10)は、簡易洗面所(１)に隣接する壁体(19)に重なった図１及び図２に示す開放状態と、簡易洗面所(１)の前面側を覆う図３及び図４に示す閉塞状態との間で、壁体(19)に沿ってスライド可能に配されている。
【００１８】
この目隠し用建具(10)における簡易洗面所(１)に対して向かい合う裏面とは反対の表面側には、複数の収納部(20)(20)…が縦方向に間隔をあけて設けられている。
【００１９】
この収納部(20)は、建具本体(11)の内部に設けた空洞部分からなり、その空洞部分が建具本体(11)の表面に開放して、建具表面側からの収納物(30)(30)…の出し入れが可能となっている。また、収納部(20)には、その出し入れ用開口(21)の下端付近に収納物(30)(30)…の落下を防止するストッパー壁(22)が設けられている。
【００２０】
このように、収納部(20)(20)…を建具本体(11)の厚み内に収まるように形成しているので、建具表面側への張り出し部分をなくして見栄えを良好にすることができ、また歩行等の妨げになることもない。なお、この目隠し用建具(10)の収納部(20)(20)…は、外部から常時見える状態となっているので、使用頻度の高いもの、或いは、化粧品等のような比較的綺麗な物を収納している。
【００２１】
また、開放状態の目隠し用建具(10)が重なる壁体(19)にも、複数の収納部(40)(40)…が縦方向に間隔をあけて設けられている。この収納部(40)も、目隠し用建具(10)の収納部(20)と同様に、壁体(19)の内部に設けた空洞部分からなり、その空洞部分が壁体(19)の表面に開放している。
【００２２】
そして、この壁体(19)の収納部(40)(40)…は、目隠し用建具(10)が開放状態のときには、その目隠し用建具(10)に覆われるが、目隠し用建具(10)が閉塞状態のときには、壁体表面側からの収納物(30)(30)…の出し入れが可能となっている。なお、この壁体(19)の収納部(40)(40)…は、目隠し用建具(10)によって覆われることが多いので、トイレットペーパーや洗剤等を収納している。
【００２３】
上記構成において、通常は、目隠し用建具(10)が常時開放状態となって、簡易洗面所(１)の前面は開放し、洗面台(３)の使用が可能となっている。そして、来客時には、目隠し用建具(10)をスライドさせて開放状態から閉塞状態に切り換えて、目隠し用建具(10)によって簡易洗面所(１)の前面側を覆う。これにより、即座に簡易洗面所(１)を外部から見えないように隠蔽することができ、見栄えを良好にすることができる。なお、目隠し用建具(10)を常時閉塞状態としておいて、使用時にのみ目隠し用建具(10)を開放状態として簡易洗面所(１)を露出させるようにしても良い。
【００２４】
また、スライド開閉式の目隠し用建具(10)の表面側に収納部(20)(20)…を設けているので、目隠し用建具(10)が開放状態、閉塞状態のいずれの状態になっていても、収納部(20)(20)…を利用することができ、使用性の向上を図ることができる。
【００２５】
なお、この発明は、上記実施形態に限定されるものではなく、この発明の範囲内で上記実施形態に多くの修正及び変更を加え得ることは勿論である。
【００２６】
例えば、この発明の目隠し構造は、上記実施形態のような簡易洗面所だけに限らず、例えば簡易キッチンやリビング収納、脱衣室、洗濯機置場、さらにはサニタリー収納、ＣＤや雑誌を収めるラック等の隠蔽対象箇所に適用しても良い。すなわち、たまにしか使わない物や設備、見栄えの比較的悪い物や設備が収容されていて、建具を常時開放状態又は常時閉塞状態として、来客時や使用時のみ開閉するような開閉頻度の低い箇所に適用することが望ましい。
【図面の簡単な説明】
【００２７】
【図１】この発明の一実施形態に係る目隠し構造を簡易洗面所に適用した例を示す斜視図である。
【図２】同じくその横断面図である。
【図３】同じくその目隠し用建具の閉塞状態を示す斜視図である。
【図４】同じくその横断面図である。
【図５】目隠し用建具の縦断面図である。
【符号の説明】
【００２８】
(１)  簡易洗面所
(10)  目隠し用建具
(11)  建具本体
(19)  壁体
(20)  目隠し用建具の収納部
(40)  壁体の収納部
【図１】
2006022504.tif 000003
【図２】
2006022504.tif 000004
【図３】
2006022504.tif 000005
【図４】
2006022504.tif 000006
【図５】
2006022504.tif 000007